(57)【要約】【課題】不正な解錠を防ぐことが可能な錠装置を提供する。【解決手段】本発明の錠装置１０では、デッドボルト１７が施錠位置になると、カム回動部材３０の当接カムピン３２と軸体３１とが、デッドボルト１７のスライド方向で並んだ状態になり、当接カムピン３２がデッドボルト１７の端面に突き合わされる。これにより、デッドボルト１７が押し込まれたときに当接カムピン３２にかかる力がカム回動部材３０の回動中心を向き、回転モーメントが発生しなくなり、カム回動部材３０によってデッドボルト１７の没入を規制した状態が保持され、デッドボルト１７の不正な没入操作を防ぐことができる。【選択図】  図１
2005029959.tif 000002
【特許請求の範囲】
【請求項１】
ドアの端部に埋設されるボディと、
前記ボディに組み付けられて施錠位置と解錠位置との間でスライドし、前記施錠位置では、前記ボディから突出して前記ドアをロックする一方、前記解錠位置では、前記ボディに没入して前記ロックを解除するデッドボルトと、
前記ボディのうち前記デッドボルトの没入先に配置されて、前記ドアの厚さ方向を向いた回動軸を中心にして回動するカム回動部材と、
前記カム回動部材に設けられて、前記施錠位置の前記デッドボルトのうち没入側を向いた端面に突き合わされて、前記デッドボルトの没入を規制するカム当接部とを備え、
解錠操作により前記カム回動部材が回動して、前記施錠位置の前記デッドボルトと前記カム当接部との突き合わせが解除されると共に、前記カム当接部が前記デッドボルトの一部に摺接して、前記デッドボルトを前記解錠位置に没入させる錠装置において、
前記デッドボルトが前記施錠位置のときに、前記カム回動部材の前記カム当接部と前記回動軸とが、前記デッドボルトのスライド方向に並ぶように配置されたことを特徴とする錠装置。
【請求項２】
前記デッドボルトのうち前記施錠位置で前記カム当接部に突き合わされる部分には、前記カム当接部の回動軌跡に対応した円弧面が形成されたことを特徴とする請求項１に記載の錠装置。
【請求項３】
前記デッドボルトの先端に開放し、そのデッドボルトの突入先の空間を横切った被係止部材を受容するスリットと、
前記デッドボルトに回転可能に結合され、前記デッドボルトが前記解錠位置のときには前記スリットを開放する一方、前記デッドボルトが前記施錠位置のときには前記スリットのうち前記被係止部材より開放側を塞ぐ鎌部材とを備えたことを特徴とする請求項１又は２に記載の錠装置。
【請求項４】
前記デッドボルトには、前記ドアの厚さ方向で対向した１対の対向壁が設けられ、
前記鎌部材は、前記１対の対向壁の間に差し渡された軸体に回動可能に軸支されると共に、前記ボディに向けてカムピンを突出して備え、前記ボディには、前記デッドボルトのスライドに伴って前記カムピンに摺接し、前記鎌部材を回動させるカム溝が形成されたことを特徴とする請求項３に記載の錠装置。
【請求項５】
請求項３又は４に記載の錠装置と、ドア枠に埋設されて、前記デッドボルトの没入先の空間を構成する係止ボックスとからなる錠セットであって、
前記係止ボックスは、前記ドア枠に固定されるアウターボックスと、前記アウターボックスの内側に上下動可能に収容されたスライダーと、前記スライダーに取り付けられて、前記デッドボルトの前記スリットに受容される被係止部材と、前記被係止部材が前記デッドボルトの前記スリットと対面するように前記スライダーを付勢する位置合わせ用付勢手段とを備えたことを特徴とする錠セット。
【発明の詳細な説明】
【０００１】
【発明の属する技術分野】
本発明は、施錠するとボディからデッドボルトが突出し、解錠するとボディにデッドボルトが没入する錠装置に関する。
【０００２】
【従来の技術】
従来、この種の錠装置は、ドアの端部に埋設されるボディにデッドボルトをスライド可能に備え、そのデッドボルトがボディから突出してドア枠に係止し、施錠状態になったときに没入規制レバーがデッドボルトに係止する構成になっていた。これにより、バール等の工具によってデッドボルトを没入側に押し込む不正行為を防止していた。また、デッドボルトには、鎌部材が回転可能に備えられており、この鎌部材が、ドア枠に設けた係止孔の上縁部に係止する構成になっていた（例えば、特許文献１参照）。
【０００３】
【特許文献１】
特開平１１−４４１３７号公報（段落［００２２］、第１図）
【０００４】
【発明が解決しようとする課題】
しかしながら、上述した従来の錠装置の没入規制レバーは、デッドボルトのスライド方向に対して斜め向きになってデッドボルトに当接していたので、デッドボルトの没入規制が十分ではなく、デッドボルトが無理に没入方向に押し込まれて不正に解錠される虞があった。また、従来の錠装置に備えた鎌部材は係止孔の上縁部に係止する構成であったので、ドア全体が上下方向にずらされて、鎌部材の係止が浅くなり、不正に錠装置が解錠される虞があった。
【０００５】
本発明は、上記事情に鑑みてなされたもので、不正な解錠を防ぐことが可能な錠装置の提供を目的とする。
【０００６】
【課題を解決するための手段】
上記目的を達成するためになされた請求項１の発明に係る錠装置は、ドアの端部に埋設されるボディと、ボディに組み付けられて施錠位置と解錠位置との間でスライドし、施錠位置では、ボディから突出してドアをロックする一方、解錠位置では、ボディに没入してロックを解除するデッドボルトと、ボディのうちデッドボルトの没入先に配置されて、ドアの厚さ方向を向いた回動軸を中心にして回動するカム回動部材と、カム回動部材に設けられて、施錠位置のデッドボルトのうち没入側を向いた端面に突き合わされて、デッドボルトの没入を規制するカム当接部とを備え、解錠操作によりカム回動部材が回動して、施錠位置のデッドボルトとカム当接部との突き合わせが解除されると共に、カム当接部がデッドボルトの一部に摺接して、デッドボルトを解錠位置に没入させる錠装置において、デッドボルトが施錠位置のときに、カム回動部材のカム当接部と回動軸とが、デッドボルトのスライド方向に並ぶように配置されたところに特徴を有する。
【０００７】
請求項２の発明は、請求項１に記載の錠装置において、デッドボルトのうち施錠位置でカム当接部に突き合わされる部分には、カム当接部の回動軌跡に対応した円弧面が形成されたところに特徴を有する。
【０００８】
請求項３の発明は、請求項１又は２に記載の錠装置において、デッドボルトの先端に開放し、そのデッドボルトの突入先の空間を横切った被係止部材を受容するスリットと、デッドボルトに回転可能に結合され、デッドボルトが解錠位置のときにはスリットを開放する一方、デッドボルトが施錠位置のときにはスリットのうち被係止部材より開放側を塞ぐ鎌部材とを備えたところに特徴を有する。
【０００９】
請求項４の発明は、請求項３に記載の錠装置において、デッドボルトには、ドアの厚さ方向で対向した１対の対向壁が設けられ、鎌部材は、１対の対向壁の間に差し渡された軸体に回動可能に軸支されると共に、ボディに向けてカムピンを突出して備え、ボディには、デッドボルトのスライドに伴ってカムピンに摺接し、鎌部材を回動させるカム溝が形成されたところに特徴を有する。
【００１０】
請求項５の発明に係る錠セットは、請求項３又は４に記載の錠装置と、ドア枠に埋設されて、デッドボルトの没入先の空間を構成する係止ボックスとからなる錠セットであって、係止ボックスは、ドア枠に固定されるアウターボックスと、アウターボックスの内側に上下動可能に収容されたスライダーと、スライダーに取り付けられて、デッドボルトのスリットに受容される被係止部材と、被係止部材がデッドボルトのスリットと対面するようにスライダーを付勢する位置合わせ用付勢手段とを備えたところに特徴を有する。
【００１１】
【発明の作用及び効果】
＜請求項１の発明＞
請求項１の錠装置では、デッドボルトが施錠位置になると、カム回動部材のカム当接部と回動軸とが、デッドボルトのスライド方向に並んだ状態になり、カム当接部がデッドボルトの端面に突き合わされる。これにより、デッドボルトが押し込まれたときにカム当接部にかかる力がカム回動部材の回動中心を向き、回転モーメントが発生しなくなり、カム回動部材によってデッドボルトの没入を規制した状態が保持され、デッドボルトの不正な没入操作を防ぐことができる。
【００１２】
＜請求項２の発明＞
請求項２の錠装置では、デッドボルトのうち施錠位置でカム当接部に当接する部分には、カム回動部材を回転したときのカム当接部の回動軌跡に対応した円弧面が形成されているので、カム回動部材の回動軸とカム当接部との並び方向が、デッドボルトのスライド方向に対して多少斜めになっても、デッドボルトが押し込まれてカム当接部にかかる力は、カム回動部材の回動中心を向き、カム回動部材の回転が規制され、デッドボルトの不正な没入操作を防ぐことができる。
【００１３】
＜請求項３の発明＞
請求項３の錠装置では、デッドボルトが施錠位置に移動したときに、そのデッドボルトに設けたスリット内に被係止部材が受容されると共に、鎌部材にてスリットの開放側を塞がれる。即ち、デッドボルトが施錠位置のときに、閉じた空間内に被係止部材が配置され、ドア全体がずらされても被係止部材とデッドボルトとの係合が浅くならず、不正な解錠操作が防がれる。
【００１４】
＜請求項４の発明＞
請求項４の錠装置では、デッドボルトに備えた１対の対向壁の間に鎌部材を挟んで収容したのでデッドボルトと鎌部材が互いに補強し合い、強度アップが図られる。
【００１５】
＜請求項５の発明＞
請求項５の錠セットでは、錠装置のデッドボルトを係止ボックスの被係止部材に係合させた状態で、ドア全体が上下にずらされてもそのドアと共に係止ボックスの被係止部材が上下動し、被係止部材の変形が防がれ、不正な解錠操作を防止することができる。
【００１６】
【発明の実施の形態】
＜第１実施形態＞
以下、本発明の一実施形態を図１〜図３に基づいて説明する。
図１において符合９０で示したドアは、図示しないヒンジにてドア枠９１の図示しない一辺に回動可能に取り付けられている。そして、ドア９０のうちヒンジと反対側の端部に本発明に係る錠装置１０が埋設されている。また、ドア枠９１のうち錠装置１０との対向部分には、係止ボックス１１が埋設されている。
【００１７】
係止ボックス１１は、錠装置１０との対向面が開放した箱形をなし、係止ボックス１１の内部のうち開放口寄り位置を水平方向に横切るようにして係止ピン１２（本発明の「被係止部材」に相当する）が設けられている。
【００１８】
錠装置１０は、図１に示すように、ドア９０に埋設されたボディ１３に種々の部品を組み付けてなる。ボディ１３は、扁平な箱形をなし、その前端壁１４から延長された突片１５，１５をドア９０の端面にねじ止めして錠装置１０がドア９０に固定されている。ボディ１３の前端壁１４に貫通形成された挿抜孔１６には、デッドボルト１７が挿通されている。デッドボルト１７は、板金を溝形に折り曲げて形成され、上面壁１８の両縁部から１対の対向壁１９，１９（図３参照）が垂下した形状になっている。また、一方の対向壁１９の下端部からは後述するフック片４０が連続形成され、このフック片４０を除いて両対向壁１９，１９は同一形状になっている。
【００１９】
両対向壁１９の上縁部には切り欠き２０Ａが設けられ、上面壁１８のうち切り欠き２０Ａに対応した部分から両側方に向けて突壁２０が延設されている。また、ボディ１３の両側壁１３Ａには、１対のガイド突条２１，２１が上下に並べて形成され、これらガイド突条２１，２１の間に突壁２０がスライド係合している。これにより、デッドボルト１７がボディ１３の前端壁１４から突出して係止ボックス１１内に突入した施錠位置（図１参照）と、デッドボルト１７が係止ボックス１１から退避してボディ１３内に没入した解錠位置（図２参照）との間でスライドする。
【００２０】
デッドボルト１７のうち係止ボックス１１に突入する先端部には、デッドボルト１７のスライド方向の前方に開放したスリット２２が形成されており、図１に示すように、デッドボルト１７が施錠位置になると、スリット２２内に係止ピン１２が受容される。
【００２１】
デッドボルト１７には、鎌部材２３が対向壁１９，１９の間に挟んで設けられている。鎌部材２３は、対向壁１９，１９の間に差し渡した軸体２４によって回転可能に軸支されている。この軸体２４は、デッドボルト１７のうちスリット２２より後方下側（図１の右下側）に配置されており、鎌部材２３には、軸体２４より前側に向かって突出し且つ先端が上方に屈曲した鎌形係止部２５が形成されている。鎌部材２３のうち軸体２４を挟んで鎌形係止部２５との反対部分には、鎌用カムピン２６が貫通している。そして、鎌用カムピン２６は、デッドボルト１７の対向壁１９に形成された干渉防止孔２７を通してデッドボルト１７の両側方に突出し、ボディ１３の側壁１３Ａに形成した鎌用カム溝２８に係合している。
【００２２】
鎌用カム溝２８は、前側（前端壁１４側）に向かった端部が下方側に屈曲した構造になっている。これによりデッドボルト１７が施錠位置に移動すると、図１に示すように、鎌部材２３の鎌用カムピン２６が鎌用カム溝２８に案内されて下方に下げられることで鎌形係止部２５が上方に回動し、スリット２２の開放口側が鎌形係止部２５によって閉じられる。また、デッドボルト１７が解錠位置に移動すると、図２に示すように鎌用カムピン２６が鎌用カム溝２８に案内されて上方に上げられることで鎌形係止部２５が下方に回動し、スリット２２が開放される。
【００２３】
デッドボルト１７のうちボディ１３への没入側を向いた後端面には、上側部分から後方に向かって位置決壁４１が突出形成されると共に、下側部分から下方に向かって延長壁４２が延びている。また、一方の対向壁１９における延長壁４２の下端部からは、前記したフック片４０が後方に延設され、そのフック片４０の先端側が垂直上方に立ち上がっている。これら位置決壁４１、延長壁４２、フック片４０に囲まれた部分がカム部２９となっており、このカム部２９のうち延長壁４２の後端縁と位置決壁４１の下端縁とがなす角部は、施錠係合部４３となっており、フック片４０の底部は解錠係合部４４となっている。
【００２４】
ボディ１３のうちデッドボルト１７の没入先には、カム回動部材３０が設けられている。カム回動部材３０は、板金を屈曲して形成され、ボディ１３の側壁１３Ａに対向した１対の帯板３０Ａ，３０Ａの間を底壁３０Ｂで繋げた構造になっている。そして、帯板３０Ａ，３０Ａを貫通した軸体３１が、ボディ１３の両側壁１３Ａ，１３Ａ間に貫通させて固定されている。この軸体３１は、デッドボルト１７における施錠係合部４３に対し、デッドボルト１７のスライド方向の後方に配置され、この軸体３１を中心にてカム回動部材３０が水平姿勢と垂直姿勢との間で回動する。
【００２５】
カム回動部材３０のうち長手方向の一端には、帯板３０Ａ，３０Ａの間に当接カムピン３２（本発明の「カム当接部」に相当する）が差し渡されている。また、図３に示すように、当接カムピン３２のうち帯板３０Ａ，３０Ａの間に挟まれた部分には、筒状の摺動メタル３３が嵌合されている。そして、デッドボルト１７が施錠位置にあるときには、カム回動部材３０が水平姿勢になって当接カムピン３２が施錠係合部４３に摺動メタル３３を介して係合し（以下、「摺動メタル３３を介して」を省略する）、デッドボルト１７が解錠位置にあるときには、カム回動部材３０が垂直姿勢になって当接カムピン３２が解錠係合部４４に係合する。
【００２６】
なお、ボディ１３の側壁１３Ａには、カム回動部材３０が水平姿勢になったときに、カム回動部材３０の後端部に突き合わされる終端突部３４が形成されている。
【００２７】
カム回動部材３０の上方には、回転アーム５０が設けられている。回転アーム５０は、平板部材の中心部から側方に筒体５２を起立させた構造をなし、その筒体５２の内側にはキー操作軸５１が嵌合されている。また、キー操作軸５１は、ドア９０の外面に固定された図示しないキーシリンダーに結合されており、図示しない鍵をキーシリンダーに差し込んで回動操作するキー操作により、キー操作軸５１を中心に回転アーム５０が回動する。さらに、回転アーム５０の一端部とカム回動部材３０の後端部との間はリンク５３にて連結されており、これによりカム回動部材３０が回転アーム５０に連動回転する。また、回転アーム５０の他端部には、捻りコイルバネ構造のリターンスプリング５６の一端が取り付けられている。リターンスプリング５６の他端は、ボディ１３のうち回転アーム５０の回動中心に対して、水平方向で横並びの位置に設けた固定軸５７に係止されている。これにより、回転アーム５０が水平方向を向いたときに、リターンスプリング５６の両端部が最も接近して弾発力が発揮され、回転アーム５０が水平方向に対して、何れかの斜め方向を向くように付勢される。
【００２８】
次に、上記構成からなる本実施形態の錠装置１０の動作を説明する。
錠装置１０を解錠するときには、図示しないキーシリンダーに挿入したキーを操作することで、回転アーム５０を図１における反時計回り方向に回動させる。すると、カム回動部材３０が水平姿勢から垂直姿勢に変わる（図２参照）。その過程で、当接カムピン３２がデッドボルト１７のカム部２９（詳細には、フック片４０）を後方に引っ張り、デッドボルト１７がボディ１３の奥部に引き込まれる。これにより、図２に示すようにデッドボルト１７の先端がボディ１３の挿抜孔１６内に没入し、ドア９０を開閉操作することができるようになる。
【００２９】
なお、デッドボルト１７のスライドに連動して鎌部材２３が鎌用カム溝２８に摺接し、デッドボルト１７の先端のスリット２２が開放される。
【００３０】
錠装置１０を施錠するには、ドア９０を閉じた状態にして、キー操作にて回転アーム５０を図２における時計回り方向に回動させる。すると、カム回動部材３０が垂直姿勢から水平姿勢に近づき、この過程で、当接カムピン３２がデッドボルト１７のカム部２９を前方に押圧し、図１に示すようにデッドボルト１７の先端が、ドア枠９１に備えた係止ボックス１１の内部に突入しかつ、デッドボルト１７の先端のスリット２２に係止ピン１２が受容される。
【００３１】
さらに回転アーム５０を最後まで回動させると、デッドボルト１７がさらにスライドして施錠位置に至ると共に、このスライドに連動して、鎌用カムピン２６が鎌用カム溝２８に摺接し、鎌部材２３が回動してスリット２２の先端が閉じられる。そして、回転アーム５０を最後まで回動させると、当接カムピン３２が施錠係合部４３の円弧面４３Ａに摺接し、このときデッドボルト１７は停止した状態でカム回動部材３０だけが若干回転する。そして、最終的に、当接カムピン３２がデッドボルト１７における位置決壁４１の下辺に当接してデッドボルト１７の施錠係合部４３に位置決めされる。以上により錠装置１０が施錠される。
【００３２】
さて、錠装置１０の施錠状態でドア９０とドア枠９１との間に例えばバールを挿入して、デッドボルト１７を没入方向に押し込む不正行為が行われた場合は、以下のようである。即ち、本実施形態の錠装置１０では、デッドボルト１７が施錠位置になると、カム回動部材３０の当接カムピン３２と軸体３１とが、デッドボルト１７のスライド方向に並んだ状態になり、当接カムピン３２がデッドボルト１７の端面に突き合わされる。これにより、デッドボルト１７が押し込まれたときに当接カムピン３２にかかる力がカム回動部材３０の回動中心を向き、回転モーメントが発生しなくなり、カム回動部材３０によってデッドボルト１７の没入を規制した状態が保持され、デッドボルト１７の不正な没入操作を防ぐことができる。
【００３３】
しかも、デッドボルト１７のうち施錠位置で当接カムピン３２に当接する部分には、カム回動部材３０を回転したときの当接カムピン３２の回動軌跡に対応した円弧面４３Ａが形成されているので、当接カムピン３２とカム回動部材３０の軸体３１との並び方向が、デッドボルト１７のスライド方向に対して多少斜めになっても、デッドボルト１７が押し込まれたときの力がカム回動部材３０の回動中心を向き、カム回動部材３０の回転が規制されて、確実にデッドボルト１７の没入を防ぐことができる。
【００３４】
また、錠装置１０では、デッドボルト１７に備えた１対の対向壁１９，１９の間に鎌部材２３を挟んで収容したので（図３参照）、デッドボルト１７と鎌部材２３が互いに補強し合い、強度アップが図られており、デッドボルト１７の変形が防がれる。かりに軸体３１が変形したとしても、カム回動部材３０の後端部に終端突部３４が当接し、デッドボルト１７が押し込まれないように規制することができる。さらに、本実施形態の錠装置１０では、デッドボルト１７に設けたスリット２２内に係止ピン１２を受容して、そのスリット２２の開放口を鎌部材２３にて塞ぎ、係止ピン１２が閉じた空間内に配置したので、ドア９０全体がずらされても、係止ピン１２とデッドボルト１７との係合が浅くならず、不正な解錠操作が防がれる。
【００３５】
＜第２実施形態＞
本実施形態は、図４〜図７に示されており、係止ボックスの構成のみが前記第１実施形態と異なる。本実施形態の係止ボックス８０は、ドア枠９１に埋設されるアウターボックス８１の内側に上下スライダー８２を備え、その上下スライダー８２に前記した係止ピン１２を含む前後スライダー９２を取り付けた構造なっている。アウターボックス８１は、錠装置１０と対面する前面側が開放した箱形をなし、その前面における上下の縁部から上下方向に取付片８１Ａ，８１Ａが張り出した構造になっている。また、アウターボックス８１の底面からは、その底面の一部を突片状に切り欠いてなるバネ係止壁８３が直立している。このバネ係止壁８３には、その一部を後方に陥没させてバネ収容部８４が形成されている。
【００３６】
上下スライダー８２は、アウターボックス８１の両側壁に敷設される１対の対向壁８５，８５を前面壁８６及び後面壁８７によって繋げた構造になっている。両対向壁８５，８５のうち上端寄り位置には、大長孔９９Ａと小長孔９９Ｂとがデッドボルト１７の進退方向に並べて形成されている。また、前面壁８６は、両対向壁８５，８５に挟まれた空間の前面下端側に配置される一方、後面壁８７は、後面下端側に配置されている。さらに、前面壁８６には、前記アウターボックス８１のバネ収容部８４に対応したバネ収容孔８８が形成されている。
【００３７】
上下スライダー８２は、前面壁８６をアウターボックス８１におけるバネ係止壁８３の前方に配置した状態でアウターボックス８１内に収容されている。そして、上下スライダー８２のバネ収容孔８８とアウターボックス８１のバネ収容部８４とが重ね合わされ、この内部に圧縮コイルバネ９６（本発明の「位置合わせ用付勢手段」に相当する）が収容されている。
【００３８】
アウターボックス８１の前面には、前面板９５が取り付けられている。前面板９５には矩形窓９５Ｗが形成され、矩形窓９５Ｗの下縁部が上下スライダー８２の前面壁８６の前方に重ねられている。これにより、圧縮コイルバネ９６が、バネ収容孔８８及びバネ収容部８４から離脱しないように保持されている。そして、上下スライダー８２が上方に移動した場合（図７参照）、及び、上下スライダー８２が下方に移動した場合（図６参照）に、後面壁８７が圧縮変形される。これにより、上下スライダー８２は上下動可能なストロークの中間位置に付勢されている。
【００３９】
上下スライダー８２の内側には、前後スライダー９２が収容されている。前後スライダー９２は、コ字形のベース部材９２Ｂの両先端間に係止ピン１２を差し渡した構造になっている。また、ベース部材９２Ｂの両側面における一端側には、係止ピン１２が貫通し、その両端部がベース部材９２Ｂの一端部から側方に突出している。また、ベース部材９２Ｂの他端部からはスライド用突部９４が突出している。そして、係止ピン１２の両端部を前記アウターボックス８１の大長孔９９Ａ内に嵌合すると共に、スライド用突部９４を小長孔９９Ｂに嵌合し、前後スライダー９２全体が上下スライダー８２に対して前後動可能となっている。また、図５に示すように前後スライダー９２の後端面とアウターボックス８１の後面壁８７との間には圧縮コイルバネ９７が突っ張り状態にして収容され、これにより上下スライダー８２が前方に向けて付勢されている。
【００４０】
なお、前後スライダー９２の後端面とアウターボックス８１の後面壁８７とには、圧縮コイルバネ９７の端部を係止するためのエンボス８２Ｅ，９２Ｅがそれぞれ形成されている。
【００４１】
本実施形態の構成によれば、図５に示すようにデッドボルト１７を係止ボックス８０内に突入させると、係止ピン１２がデッドボルト１７におけるスリット２２の奥部に押し付けられて確実に係合する。そして、図６に示すようにデッドボルト１７に係止ピン１２が係合した状態で、ドア９０全体が下方にずらされた場合、あるいは、図７に示すように、ドア９０全体が上方にずらされた場合、そのドア９０と共に係止ボックス８０における係止ピン１２が上下にスライドするので、ドア全体を上下にずらことよる係止ピン１２の変形を防ぎ、不正な解錠操作を防止することができる。
【００４２】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、キー操作によって回動される回転アーム５０にカム回動部材３０が連動する構成であったが、キー操作によってカム回動部材自体を直接回動操作する構成にしてもよい。
【００４３】
（２）前記実施形態では、デッドボルト１７に鎌部材２３を備えた構造であったが、鎌部材を備えずにデッドボルトのみで施錠を行う錠装置も本発明に含まれる。
【００４４】
（３）前記実施形態では、キー操作によって回転アーム５０及びカム回動部材３０を回動させる構成であったが、ドアの外面に設けられた摘み（サムターン）によって回転アーム及び／又はカム回動部材を回動させる構成にしてもよい。
【００４５】
（４）本発明に係る被係止部材としての係止ピン１２は、断面円形のピン形状になっていたが、必ずしもピン形状でなくてもよく、例えば板状であってもよい。
【図面の簡単な説明】
【図１】本発明の第１実施形態に係る錠装置が施錠状態のときの側断面図
【図２】錠装置が解錠状態のときの側断面図
【図３】錠装置が施錠状態のときの平断面図
【図４】本発明の第２実施形態に係る係止ボックスの分解斜視図
【図５】施錠状態の係止ボックスの側断面図
【図６】ドアが下方にずらされた場合の係止ボックスの側断面図
【図７】ドアが上方にずらされた場合の係止ボックスの側断面図
【符号の説明】
１０…錠装置
１２…係止ピン（被係止部材）
１３…ボディ
１７…デッドボルト
２３…鎌部材
３０…カム回動部材
３２…当接カムピン（カム当接部）
４３Ａ…円弧面
８０…係止ボックス
８１…アウターボックス
８２…上下スライダー
９０…ドア
９２…前後スライダー
９６…圧縮コイルバネ
【図１】
2005029959.tif 000003
【図２】
2005029959.tif 000004
【図３】
2005029959.tif 000005
【図４】
2005029959.tif 000006
【図５】
2005029959.tif 000007
【図６】
2005029959.tif 000008
【図７】
2005029959.tif 000009